【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
地方公共団体から顧客に対して発行される自動車税に関する納税通知書に基づいて、顧客の自動車税を納付する自動車税納付システムであって、
顧客が所有する自動車の登録番号が格納された記憶装置と、
納税通知書の所定部分を読み取る読み取り手段と、
前記読み取り手段で読み取られた情報に基づいて、納税通知書に記載された自動車の登録番号及びこの登録番号の自動車に対応する納税額を解読する解読手段と、
前記解読された登録番号と、前記記憶装置に格納されている登録番号とを照合する照合手段と、
前記照合手段で、前記解読手段により解読された登録番号が、前記記憶装置に格納されている顧客の登録番号と一致すると、前記解読手段により解読された前記登録番号に対応する前記納税額の金銭を、前記顧客の口座から前記納税通知書が指定する口座に移転する移転手段と、
を有することを特徴とする自動車税納付システム。
【請求項２】
前記移転手段により納税が完了した納税通知書の領収証書及び／又は自動車納税証明書に管理番号を印字する手段と、
納税が完了した納税通知書の登録番号及び納税額と、前記領収証書及び／又は前記自動車納税証明書に印字された管理番号と、を対応付けて帳票を作成し、その帳票を印刷出力する出力手段と、
を更に有することを特徴とする請求項１記載の自動車税納付システム。
【請求項３】
納税が完了した納税通知書に記載されている登録番号及び納税額と、前記納税通知書の領収証書及び／又は前記自動車納税証明書に印字された管理番号とを対応させて記録媒体に格納する手段を更に有することを特徴とする請求項１又は請求項２記載の自動車税納付システム。
【請求項４】
地方公共団体から顧客に対して発行される自動車税に関する納税通知書に基づいて、顧客の自動車税を納付する自動車税納付システムであって、
顧客が所有する自動車の登録番号と、この登録番号の自動車に対し顧客側で納税が予定されている納税額と、が格納された記憶装置と、
納税通知書の所定部分を読み取る読み取り手段と、
前記読み取り手段で読み取られた情報に基づいて、納税通知書に記載された自動車の登録番号及びこの登録番号の自動車に対応する納税額を解読する解読手段と、
前記解読された登録番号及び納税額と、前記記憶装置に格納されている登録番号及び納税額とを照合する照合手段と、
前記照合手段で、前記解読手段により解読された登録番号が、前記記憶装置に格納されている顧客の登録番号と一致すると、前記解読手段により解読された前記登録番号に対応する前記納税額の金銭を、前記顧客の口座から前記納税通知書が指定する口座に移転する移転手段と、
前記移転手段により納税が完了した納税通知書の領収証書及び／又は自動車納税証明書に管理番号を印字する手段と、
納税が完了した納税通知書の登録番号及び納税額と、前記領収証書及び／又は前記自動車納税証明書に印字された管理番号と、を対応付けて帳票を作成し、その帳票を印刷出力する出力手段と、
を有し、
前記出力手段は、前記照合手段で、前記解読手段により解読された登録番号が、前記記憶装置に格納されている顧客の登録番号と一致し、前記解読手段により解読された前記登録番号に対応する前記納税額が、前記記憶装置に格納されている顧客の前記登録番号に対応する納税額と一致しない場合、納税が完了した納税通知書の登録番号及び納税額と、前記領収証書及び／又は前記自動車納税証明書に印字された管理番号と、前記記憶装置に格納されている顧客の前記登録番号に対応する納税額と、を対応付けて帳票を作成することを特徴とする自動車税納付システム。
【請求項５】
納税が完了した納税通知書に記載されている登録番号及び納税額と、前記納税通知書の領収証書及び／又は前記自動車納税証明書に印字された管理番号とを対応させて記録媒体に格納する手段を更に有することを特徴とする請求項４記載の自動車税納付システム。
【請求項６】
地方公共団体から顧客に対して発行される自動車税に関する納税通知書に基づいて、金融機関が顧客の自動車税を納付する方法であって、
顧客が所有する自動車の登録番号を記憶装置に記憶させる工程と、
顧客宛に送られてきた納税通知書の所定部分を読み取る工程と、
前記読み取られた情報に基づいて、前記納税通知書に記載された自動車の登録番号及びこの登録番号の自動車に対応する自動車税の額を解読する工程と、
前記解読された登録番号と、前記記憶装置に記憶されている登録番号とを照合する工程と、
前記照合する工程で、前記解読された登録番号が、前記記憶装置に記憶されている顧客の登録番号と一致すると、前記解読する工程により解読された前記登録番号に対応する前記自動車税の額の金銭を、前記顧客の口座から前記納税通知書が指定する口座に移転する工程と、
を有することを特徴とする自動車税納付処理方法。
【請求項７】
納税が完了した納税通知書の領収証書及び／又は自動車納税証明書に管理番号を印字する工程と、
納税が完了した納税通知書に記載されている登録番号及び自動車税の額と、前記領収証書及び／又は前記自動車納税証明書に印字された管理番号とを対応付けて帳票を作成し、その帳票を印刷出力する工程と、
を更に有することを特徴とする請求項６記載の自動車税納付処理方法。
【請求項８】
納税が完了した納税通知書に記載されている登録番号及び自動車税の額と、前記領収証書及び／又は前記自動車納税証明書に印字された管理番号とを対応させて記録媒体に格納する工程を更に有することを特徴とする請求項６又は請求項７記載の自動車税納付処理方法。
【請求項９】
地方公共団体から顧客に対して発行される自動車税に関する納税通知書に基づいて、金融機関が顧客の自動車税を納付する方法であって、
顧客が所有する自動車の登録番号、及び、この登録番号の自動車に対し顧客側で納税が予定されている自動車税の額を記憶装置に記憶させる工程と、
顧客宛に送られてきた納税通知書の所定部分を読み取る工程と、
前記読み取られた情報に基づいて、前記納税通知書に記載された自動車の登録番号及びこの登録番号の自動車に対応する自動車税の額を解読する工程と、
前記解読された登録番号及び自動車税の額と、前記記憶装置に記憶されている登録番号及び自動車税の額とを照合する工程と、
前記照合する工程で、前記解読された登録番号が、前記記憶装置に記憶されている顧客の登録番号と一致すると、前記解読する工程により解読された前記登録番号に対応する前記自動車税の額の金銭を、前記顧客の口座から前記納税通知書が指定する口座に移転する工程と、
納税が完了した納税通知書の領収証書及び／又は自動車納税証明書に管理番号を印字する工程と、
納税が完了した納税通知書に記載されている登録番号及び自動車税の額と、前記領収証書及び／又は前記自動車納税証明書に印字された管理番号とを対応付けて帳票を作成し、その帳票を印刷出力する工程と、
を有し
前記帳票を印刷出力する工程では、
前記照合する工程で、前記解読された登録番号が、前記記憶装置に記憶されている顧客の登録番号と一致し、前記解読された前記登録番号に対応する前記自動車税の額が、前記記憶装置に記憶されている顧客の前記登録番号に対応する自動車税の額と一致しない場合、納税通知書に記載されている登録番号及び自動車税の額と、前記領収証書及び／又は前記自動車納税証明書に印字された管理番号と、前記記憶装置に記憶されている顧客の前記登録番号に対応する自動車税の額と、を対応付けて帳票を作成することを特徴とする自動車税納付処理方法。
【請求項１０】
納税が完了した納税通知書に記載されている登録番号及び自動車税の額と、前記領収証書及び／又は前記自動車納税証明書に印字された管理番号とを対応させて記録媒体に格納する工程を更に有することを特徴とする請求項９記載の自動車税納付処理方法。
【手続補正２】
【補正対象書類名】明細書
【補正対象項目名】発明の名称
【補正方法】変更
【補正の内容】
【発明の名称】自動車税納付システム及び自動車税納付処理方法
【手続補正３】
【補正対象書類名】明細書
【補正対象項目名】０００３
【補正方法】変更
【補正の内容】
【０００３】
従って、これら納税通知書と会社が保有する自動車のデータとを照合し、納税処理を行うことは多くの労力を伴うものであった。
そこで、本発明の目的は、納税処理の労力を軽減する納付金の決済処理の技術を提供することにある。
【手続補正４】
【補正対象書類名】明細書
【補正対象項目名】０００４
【補正方法】変更
【補正の内容】
【０００４】
上記本発明の目的は、地方公共団体から顧客に対して発行される自動車税に関する納税通知書に基づいて、顧客の自動車税を納付する自動車税納付システムであって、
顧客が所有する自動車の登録番号が格納された記憶装置と、
納税通知書の所定部分を読み取る読み取り手段と、
前記読み取り手段で読み取られた情報に基づいて、納税通知書に記載された自動車の登録番号及びこの登録番号の自動車に対応する納税額を解読する解読手段と、
前記解読された登録番号と、前記記憶装置に格納されている登録番号とを照合する照合手段と、
前記照合手段で、前記解読手段により解読された登録番号が、前記記憶装置に格納されている顧客の登録番号と一致すると、前記解読手段により解読された前記登録番号に対応する前記納税額の金銭を、前記顧客の口座から前記納税通知書が指定する口座に移転する移転手段と、
を有することを特徴とする自動車税納付システムによって達成される。
この発明によれば、自動車税に関する納税処理を簡単に行うことができる。
【手続補正５】
【補正対象書類名】明細書
【補正対象項目名】０００６
【補正方法】変更
【補正の内容】
【０００６】
又、この自動車税納付システムには、
前記移転手段により納税が完了した納税通知書の領収証書及び／又は自動車納税証明書に管理番号を印字する手段と、
納税が完了した納税通知書の登録番号及び納税額と、前記領収証書及び／又は前記自動車納税証明書に印字された管理番号と、を対応付けて帳票を作成し、その帳票を印刷出力する出力手段と、
を更に設けるのが好ましい。
【手続補正６】
【補正対象書類名】明細書
【補正対象項目名】０００７
【補正方法】変更
【補正の内容】
【０００７】
納税数が多くなると、納税の領収書も多く成る為、納税通知書の領収証書・自動車納税証明書に印字された管理番号と、その一覧があれば、領収書の管理が大変楽になるからである。尚、印字手段及び出力手段は、プリンタで構成される。
又、前記自動車税納付システムには、納税が完了した納税通知書に記載されている登録番号及び納税額と、前記納税通知書の領収証書及び／又は前記自動車納税証明書に印字された管理番号とを対応させて記録媒体に格納する手段を更に設けても良い。格納手段は、例えばＦＤドライブ、ＣＤ−Ｒ等である。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
又、本発明の目的は、地方公共団体から顧客に対して発行される自動車税に関する納税通知書に基づいて、顧客の自動車税を納付する自動車税納付システムであって、
顧客が所有する自動車の登録番号と、この登録番号の自動車に対し顧客側で納税が予定されている納税額と、が格納された記憶装置と、
納税通知書の所定部分を読み取る読み取り手段と、
前記読み取り手段で読み取られた情報に基づいて、納税通知書に記載された自動車の登録番号及びこの登録番号の自動車に対応する納税額を解読する解読手段と、
前記解読された登録番号及び納税額と、前記記憶装置に格納されている登録番号及び納税額とを照合する照合手段と、
前記照合手段で、前記解読手段により解読された登録番号が、前記記憶装置に格納されている顧客の登録番号と一致すると、前記解読手段により解読された前記登録番号に対応する前記納税額の金銭を、前記顧客の口座から前記納税通知書が指定する口座に移転する移転手段と、
前記移転手段により納税が完了した納税通知書の領収証書及び／又は自動車納税証明書に管理番号を印字する手段と、
納税が完了した納税通知書の登録番号及び納税額と、前記領収証書及び／又は前記自動車納税証明書に印字された管理番号と、を対応付けて帳票を作成し、その帳票を印刷出力する出力手段と、
を有し、
前記出力手段は、前記照合手段で、前記解読手段により解読された登録番号が、前記記憶装置に格納されている顧客の登録番号と一致し、前記解読手段により解読された前記登録番号に対応する前記納税額が、前記記憶装置に格納されている顧客の前記登録番号に対応する納税額と一致しない場合、納税が完了した納税通知書の登録番号及び納税額と、前記領収証書及び／又は前記自動車納税証明書に印字された管理番号と、前記記憶装置に格納されている顧客の前記登録番号に対応する納税額と、を対応付けて帳票を作成することを特徴とする自動車税納付システムによって達成される。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
又、本発明の目的は、地方公共団体から顧客に対して発行される自動車税に関する納税通知書に基づいて、金融機関が顧客の自動車税を納付する方法であって、
顧客が所有する自動車の登録番号を記憶装置に記憶させる工程と、
顧客宛に送られてきた納税通知書の所定部分を読み取る工程と、
前記読み取られた情報に基づいて、前記納税通知書に記載された自動車の登録番号及びこの登録番号の自動車に対応する自動車税の額を解読する工程と、
前記解読された登録番号と、前記記憶装置に記憶されている登録番号とを照合する工程と、
前記照合する工程で、前記解読された登録番号が、前記記憶装置に記憶されている顧客の登録番号と一致すると、前記解読する工程により解読された前記登録番号に対応する前記自動車税の額の金銭を、前記顧客の口座から前記納税通知書が指定する口座に移転する工程と、
を有することを特徴とする自動車税納付処理方法によって達成される。
【手続補正１１】
【補正対象書類名】明細書
【補正対象項目名】００１３
【補正方法】変更
【補正の内容】
【００１３】
尚、上記方法においては、
納税が完了した納税通知書の領収証書及び／又は自動車納税証明書に管理番号を印字する工程と、
納税が完了した納税通知書に記載されている登録番号及び自動車税の額と、前記領収証書及び／又は前記自動車納税証明書に印字された管理番号とを対応付けて帳票を作成し、その帳票を印刷出力する工程と、
を更に設けるのが好ましい。
【手続補正１２】
【補正対象書類名】明細書
【補正対象項目名】００１４
【補正方法】変更
【補正の内容】
【００１４】
この他、上記方法においては、納税が完了した納税通知書に記載されている登録番号及び自動車税の額と、前記領収証書及び／又は前記自動車納税証明書に印字された管理番号とを対応させて記録媒体に格納する工程を更に設けると良い。
【手続補正１３】
【補正対象書類名】明細書
【補正対象項目名】００１５
【補正方法】変更
【補正の内容】
【００１５】
又、本発明の目的は、地方公共団体から顧客に対して発行される自動車税に関する納税通知書に基づいて、金融機関が顧客の自動車税を納付する方法であって、
顧客が所有する自動車の登録番号、及び、この登録番号の自動車に対し顧客側で納税が予定されている自動車税の額を記憶装置に記憶させる工程と、
顧客宛に送られてきた納税通知書の所定部分を読み取る工程と、
前記読み取られた情報に基づいて、前記納税通知書に記載された自動車の登録番号及びこの登録番号の自動車に対応する自動車税の額を解読する工程と、
前記解読された登録番号及び自動車税の額と、前記記憶装置に記憶されている登録番号及び自動車税の額とを照合する工程と、
前記照合する工程で、前記解読された登録番号が、前記記憶装置に記憶されている顧客の登録番号と一致すると、前記解読する工程により解読された前記登録番号に対応する前記自動車税の額の金銭を、前記顧客の口座から前記納税通知書が指定する口座に移転する工程と、
納税が完了した納税通知書の領収証書及び／又は自動車納税証明書に管理番号を印字する工程と、
納税が完了した納税通知書に記載されている登録番号及び自動車税の額と、前記領収証書及び／又は前記自動車納税証明書に印字された管理番号とを対応付けて帳票を作成し、その帳票を印刷出力する工程と、
を有し
前記帳票を印刷出力する工程では、
前記照合する工程で、前記解読された登録番号が、前記記憶装置に記憶されている顧客の登録番号と一致し、前記解読された前記登録番号に対応する前記自動車税の額が、前記記憶装置に記憶されている顧客の前記登録番号に対応する自動車税の額と一致しない場合、納税通知書に記載されている登録番号及び自動車税の額と、前記領収証書及び／又は前記自動車納税証明書に印字された管理番号と、前記記憶装置に記憶されている顧客の前記登録番号に対応する自動車税の額と、を対応付けて帳票を作成することを特徴とする自動車税納付処理方法によって解決される。
【手続補正１４】
【補正対象書類名】明細書
【補正対象項目名】００１６
【補正方法】変更
【補正の内容】
【００１６】
また、この方法においては、納税が完了した納税通知書に記載されている登録番号及び自動車税の額と、前記領収証書及び／又は前記自動車納税証明書に印字された管理番号とを対応させて記録媒体に格納する工程を更に設けるのが好ましい。